(57)【要約】本発明は移動通信網（ＭＣＮ）及び無線アクセス技術（ＲＡＴ）を用いるユーザ機器（ＵＥ）の電力消費管理方法に関し、ＵＥにＭＣＮ／ＲＡＴに関する優先度情報（ＰＩ）を提供し、ＵＥが用いるＭＣＮ／ＲＡＴに関するＰＩが、ＵＥが用いるＭＣＮ／ＲＡＴについて充分低い優先度を示す場合、所定時間間隔（ＴＩ）経過後に（高い優先度のＭＣＮの為の）ネットワーク選択手順がＵＥにより実行され、ＵＥは加入者識別モジュール（ＳＩＭ）を備え、ＳＩＭは時間間隔関連情報（ＴＩＩ）を備え、ネットワーク選択手順を実行するのにＵＥにより適用されるＴＩがＳＩＭにおいて記憶されるＴＩＩに依存し、ＴＩＩは所定数の正の整数値に対応し、ＵＥにより適用されるＴＩＩとのＴＩの依存関係は、ＴＩがＴＩＩに対応し、且つ：−スケーリング定数値によって乗算される、又は−増加スケーリング値がＴＩＩの内容の関数として増加する増加スケーリング値によって乗算される。【選択図】  図１
2019506093.tif 000002
【特許請求の範囲】
【請求項１】
移動通信ネットワーク（１００）及び無線アクセス技術を用いるユーザ機器（２０）の強化された電力消費管理のための方法であって、前記ユーザ機器（２０）は前記移動通信ネットワーク（１００）及び／又は前記無線アクセス技術に関する優先度情報を提供され、前記ユーザ機器（２０）によって使用される前記移動通信ネットワーク（１００）及び／又は前記ユーザ機器（２０）によって使用される前記無線アクセス技術に関する前記優先度情報が、前記ユーザ機器（２０）によって使用される前記移動通信ネットワーク（１００）及び／又は前記ユーザ機器（２０）によって使用される前記無線アクセス技術について充分に低い優先度を示す場合、時間間隔経過後に、より高い優先度の移動通信ネットワークを見つけるネットワーク選択手順が前記ユーザ機器（２０）によって実行され、
前記ユーザ機器（２０）は加入者識別モジュールの機能を実現するエンティティ（２２）を備え、前記加入者識別モジュールの機能を実現する前記エンティティ（２２）は、より高い優先度の移動通信ネットワークへの前記ネットワーク選択手順を実行するのに前記ユーザ機器（２０）によって適用される前記時間間隔が前記加入者識別モジュールの機能を実現する前記エンティティ（２２）において記憶される時間間隔関連情報に依存するように、前記時間間隔関連情報を備え、前記時間間隔関連情報の前記情報内容は所定数の正の整数値に対応し、前記ユーザ機器（２０）によって適用される前記時間間隔関連情報の前記情報内容との前記時間間隔の前記依存関係は以下の選択肢：
−第１の選択肢によると、前記時間間隔は前記時間間隔関連情報の前記情報内容に対応し、６分のスケーリング定数値と時間間隔適応因子との積によって乗算され、前記時間間隔適応因子又は前記時間間隔適応因子の逆数は３以上の値、特に５若しくはその付近の値、又は１０若しくはその付近の値、又は２０若しくはその付近の値、又は５０若しくはその付近の値、又は１００若しくはその付近の値、又は５００若しくはその付近の値、又は１０００若しくはその付近の値に対応する、
−第２の選択肢によると、前記時間間隔は前記時間間隔関連情報の前記情報内容に対応し、６分とは異なるスケーリング定数値によって乗算され、前記スケーリング定数値は少なくとも１０分、好適には少なくとも２０分、より好適には少なくとも３０分、さらにより好適には少なくとも６０分、さらにより好適には少なくとも１００分、さらにより好適には少なくとも１８０分、さらにより好適には少なくとも２４０分、さらにより好適には少なくとも３００分、さらにより好適には少なくとも３６０分、さらにより好適には少なくとも４２０分、さらにより好適には少なくとも４８０分、さらにより好適には少なくとも５４０分、さらにより好適には少なくとも６００分、さらにより好適には少なくとも１０００分に対応する、
−第３の選択肢によると、前記時間間隔は前記時間間隔関連情報の前記情報内容に対応し、増加スケーリング値が前記時間間隔関連情報の前記情報内容の関数として増加するような前記増加スケーリング値によって乗算される、
のうちの１つに対応する、
方法。
【請求項２】
前記間隔適応因子、及び／若しくは前記スケーリング定数値、又は前記増加スケーリング値、又は前記マッピング情報は、前記ユーザ機器（２０）内のメモリ部に記憶され、特に異なる間隔適応因子、及び／又は異なるスケーリング定数値、及び／又は異なる増加スケーリング値、及び／又は異なるマッピング情報がユーザ機器の異なるデバイスカテゴリに対して適用され、特に、マシンツーマシン通信、又は（狭帯域のモノのインターネット（ＮＢ−ＩｏＴ）、又はＬＴＥ  Ｃａｔ−Ｍ、若しくはＥＣ−ＧＳＭカテゴリのような）モノのインターネット通信のために最適化されたユーザ機器は、間隔適応因子、及び／又はスケーリング定数値、及び／又は増加スケーリング値、及び／又はマッピング情報を、結果として生じる時間間隔が他のカテゴリのユーザ機器を用いて適用される時間間隔を大きく超えるように適用する、請求項１に記載の方法。
【請求項３】
前記増加スケーリング値は、少なくとも近似的に指数関数的に増加する、請求項１又は２に記載の方法。
【請求項４】
前記ユーザ機器（２０）は、電源（２４）を備え、又は電源（２４）に関連づけられ、又は電源（２４）に割り当てられ、電力状態情報は前記ユーザ機器（２０）に利用可能な電力の様々なレベルを示し、前記電力状態情報が前記電源（２４）について充分に低い電力レベルを示す場合、
−前記ユーザ機器（２０）によって適用される有効時間間隔は、以下：前記時間間隔適応因子、前記時間間隔適応因子及び前記スケーリング定数値、前記スケーリング定数値、前記増加スケーリング値並びに前記マッピング情報のうちの１つを増加させることによって増加し、又は
−前記ネットワーク選択手順は、前記時間間隔経過後であっても前記ユーザ機器（２０）によって省略される、
請求項１乃至３のいずれか一項に記載の方法。
【請求項５】
特殊な地理的領域に位置することを検出される前記ユーザ機器（２０）に基づいて、及び／又は特殊な移動通信ネットワークのリストの一部である移動通信ネットワークを使用する前記ユーザ機器（２０）に基づいて、
−前記ユーザ機器（２０）によって適用される前記有効時間間隔は、以下：前記時間間隔適応因子、前記時間間隔適応因子及び前記スケーリング定数値、前記スケーリング定数値、前記増加スケーリング値並びに前記マッピング情報のうちの１つを増加させることによって増加し、又は
−前記ネットワーク選択手順は、前記時間間隔経過後であっても前記ユーザ機器（２０）によって省略される、
請求項１乃至４のいずれか一項に記載の方法。
【請求項６】
前記時間間隔適応因子、及び／又は前記スケーリング定数値、及び／又は前記増加スケーリング値を定義する情報、及び／又は前記マッピング定義情報、及び／又は前記特殊な地理的領域を示す情報、及び／又は前記特殊な移動通信ネットワークのリストは、特に前記ユーザ機器（２０）内のメモリ部に記憶され、又は前記加入者識別モジュールの機能を実現する前記エンティティに記憶されるように、及び特に前記移動通信ネットワーク（１００）を使用して前記ユーザ機器（２０）に送信される、請求項１乃至５のいずれか一項に記載の方法。
【請求項７】
移動通信ネットワーク（１００）及び無線アクセス技術を用いるユーザ機器（２０）の強化された電力消費管理のためのユーザ機器（２０）であって、前記ユーザ機器（２０）は前記移動通信ネットワーク（１００）及び／又は前記無線アクセス技術に関する優先度情報を提供され、前記ユーザ機器（２０）は、前記ユーザ機器（２０）によって使用される前記移動通信ネットワーク（１００）及び／又は前記ユーザ機器（２０）によって使用される前記無線アクセス技術に関する前記優先度情報が、前記ユーザ機器（２０）によって使用される前記移動通信ネットワーク（１００）及び／又は前記ユーザ機器（２０）によって使用される前記無線アクセス技術について充分に低い優先度を示す場合、時間間隔経過後に、より高い優先度の移動通信ネットワークを見つけるネットワーク選択手順が前記ユーザ機器（２０）によって実行されるように構成され、
前記ユーザ機器（２０）は加入者識別モジュールの機能を実現するエンティティ（２２）を備え、前記加入者識別モジュールの機能を実現する前記エンティティ（２２）は、より高い優先度の移動通信ネットワークへの前記ネットワーク選択手順を実行するのに前記ユーザ機器（２０）によって適用される前記時間間隔が前記加入者識別モジュールの機能を実現する前記エンティティ（２２）において記憶される時間間隔関連情報に依存するように、前記時間間隔関連情報を備え、前記時間間隔関連情報の情報内容は所定数の正の整数値に対応し、前記ユーザ機器（２０）は、前記ユーザ機器（２０）によって適用される前記時間間隔関連情報の前記情報内容との前記時間間隔の前記依存関係が以下の選択肢：
−第１の選択肢によると、前記時間間隔は前記時間間隔関連情報の前記情報内容に対応し、６分のスケーリング定数値と時間間隔適応因子との積によって乗算され、前記時間間隔適応因子又は前記時間間隔適応因子の逆数は３以上の値、特に５若しくはその付近の値、又は１０若しくはその付近の値、又は２０若しくはその付近の値、又は５０若しくはその付近の値、又は１００若しくはその付近の値、又は５００若しくはその付近の値、又は１０００若しくはその付近の値に対応する、
−第２の選択肢によると、前記時間間隔は前記時間間隔関連情報の前記情報内容に対応し、６分とは異なるスケーリング定数値によって乗算され、前記スケーリング定数値は少なくとも１０分、好適には少なくとも２０分、より好適には少なくとも３０分、さらにより好適には少なくとも６０分、さらにより好適には少なくとも１００分、さらにより好適には少なくとも１８０分、さらにより好適には少なくとも２４０分、さらにより好適には少なくとも３００分、さらにより好適には少なくとも３６０分、さらにより好適には少なくとも４２０分、さらにより好適には少なくとも４８０分、さらにより好適には少なくとも５４０分、さらにより好適には少なくとも６００分、さらにより好適には少なくとも１０００分に対応する、
−第３の選択肢によると、前記時間間隔は前記時間間隔関連情報の前記情報内容に対応し、増加スケーリング値が前記時間間隔関連情報の前記情報内容の関数として増加するような前記増加スケーリング値によって乗算される、
のうちの１つに対応するよう構成された、
ユーザ機器。
【請求項８】
移動通信ネットワーク（１００）及び無線アクセス技術を用いるユーザ機器（２０）の強化された電力消費管理のためのシステムであって、前記システムは、前記移動通信ネットワーク（１００）及び前記ユーザ機器（２０）を備え、ユーザ機器（２０）は前記移動通信ネットワーク（１００）及び／又は前記無線アクセス技術に関する優先度情報を提供され、前記ユーザ機器（２０）は、前記ユーザ機器（２０）によって使用される前記移動通信ネットワーク（１００）及び／又は前記ユーザ機器（２０）によって使用される前記無線アクセス技術に関する前記優先度情報が、前記ユーザ機器（２０）によって使用される前記移動通信ネットワーク（１００）及び／又は前記ユーザ機器（２０）によって使用される前記無線アクセス技術について充分に低い優先度を示す場合、時間間隔経過後に、より高い優先度の移動通信ネットワークを見つけるネットワーク選択手順が前記ユーザ機器（２０）によって実行されるよう構成され、
前記ユーザ機器（２０）は加入者識別モジュールの機能を実現するエンティティ（２２）を備え、前記加入者識別モジュールの機能を実現する前記エンティティ（２２）は、より高い優先度の移動通信ネットワークへの前記ネットワーク選択手順を実行するのに前記ユーザ機器（２０）によって適用される前記時間間隔が前記加入者識別モジュールの機能を実現する前記エンティティ（２２）において記憶される時間間隔関連情報に依存するように、前記時間間隔関連情報を備え、前記時間間隔関連情報の情報内容は所定数の正の整数値に対応し、前記ユーザ機器（２０）は、前記ユーザ機器（２０）によって適用される前記時間間隔関連情報の前記情報内容との前記時間間隔の前記依存関係が以下の選択肢：
−第１の選択肢によると、前記時間間隔は前記時間間隔関連情報の前記情報内容に対応し、６分のスケーリング定数値と時間間隔適応因子との積によって乗算され、前記時間間隔適応因子又は前記時間間隔適応因子の逆数は３以上の値、特に５若しくはその付近の値、又は１０若しくはその付近の値、又は２０若しくはその付近の値、又は５０若しくはその付近の値、又は１００若しくはその付近の値、又は５００若しくはその付近の値、又は１０００若しくはその付近の値に対応する、
−第２の選択肢によると、前記時間間隔は前記時間間隔関連情報の前記情報内容に対応し、６分とは異なるスケーリング定数値によって乗算され、前記スケーリング定数値は少なくとも１０分、好適には少なくとも２０分、より好適には少なくとも３０分、さらにより好適には少なくとも６０分、さらにより好適には少なくとも１００分、さらにより好適には少なくとも１８０分、さらにより好適には少なくとも２４０分、さらにより好適には少なくとも３００分、さらにより好適には少なくとも３６０分、さらにより好適には少なくとも４２０分、さらにより好適には少なくとも４８０分、さらにより好適には少なくとも５４０分、さらにより好適には少なくとも６００分、さらにより好適には少なくとも１０００分に対応する、
−第３の選択肢によると、前記時間間隔は前記時間間隔関連情報の前記情報内容に対応し、増加スケーリング値が前記時間間隔関連情報の前記情報内容の関数として増加するような前記増加スケーリング値によって乗算される、
のうちの１つに対応するよう構成された、
システム。
【請求項９】
コンピュータ上又はユーザ機器（２０）上で実行されると、前記コンピュータ又は前記ユーザ機器（２０）に請求項１乃至６のいずれか一項に記載の方法を実行させるコンピュータ可読プログラムコードを備える、プログラム。
【請求項１０】
移動通信ネットワーク（１００）及び無線アクセス技術を用いるユーザ機器（２０）の強化された電力消費管理のためのコンピュータプログラム製品であって、前記コンピュータプログラム製品は記憶媒体に記憶されたコンピュータプログラムを備え、前記コンピュータプログラムは、コンピュータ上又はユーザ機器（２０）上で実行されると、前記コンピュータ又は前記ユーザ機器（２０）に請求項１乃至６のいずれか一項に記載の方法を実行させるプログラムコードを備える、コンピュータプログラム製品。
【発明の詳細な説明】
【技術分野】
【０００１】
本発明は、特に、移動通信ネットワーク及び無線アクセス技術を用いるユーザ機器の強化された電力消費管理のための方法に関し、ユーザ機器は移動通信ネットワーク及び／又は無線アクセス技術に関する優先度情報を提供され、ユーザ機器によって使用される移動通信ネットワーク及び／又はユーザ機器によって使用される無線アクセス技術に関する優先度情報が、ユーザ機器によって使用される移動通信ネットワーク及び／又はユーザ機器によって使用される無線アクセス技術について充分に低い優先度を示す場合、時間間隔経過後に、より高い優先度の移動通信ネットワークを見つけるネットワーク選択手順がユーザ機器によって実行される。
【背景技術】
【０００２】
さらに、本発明は移動通信ネットワーク及び無線アクセス技術を用いるユーザ機器の強化された電力消費管理のためのユーザ機器に関し、ユーザ機器は移動通信ネットワーク及び／又は無線アクセス技術に関する優先度情報を提供され、ユーザ機器は、ユーザ機器によって使用される移動通信ネットワーク及び／又はユーザ機器によって使用される無線アクセス技術に関する優先度情報が、ユーザ機器によって使用される移動通信ネットワーク及び／又はユーザ機器によって使用される無線アクセス技術について充分に低い優先度を示す場合、時間間隔経過後に、より高い優先度の移動通信ネットワークを見つけるネットワーク選択手順がユーザ機器によって実行されるように構成される。
【０００３】
さらに本発明は、移動通信ネットワーク及び無線アクセス技術を用いるユーザ機器の強化された電力消費管理のためのシステムに関し、システムは移動通信ネットワーク及びユーザ機器を備え、ユーザ機器は移動通信ネットワーク及び／又は無線アクセス技術に関する優先度情報を提供され、ユーザ機器は、ユーザ機器によって使用される移動通信ネットワーク及び／又はユーザ機器によって使用される無線アクセス技術に関する優先度情報が、ユーザ機器によって使用される移動通信ネットワーク及び／又はユーザ機器によって使用される無線アクセス技術について充分に低い優先度を示す場合、時間間隔経過後に、より高い優先度の移動通信ネットワークを見つけるネットワーク選択手順がユーザ機器によって実行されるように構成される。
【０００４】
さらに、本発明は、本発明による方法の実行、又は本発明による発明のユーザ機器若しくは発明のシステムの使用によって、移動通信ネットワーク及び無線アクセス技術を用いるユーザ機器の強化された電力消費管理のためのプログラム及びコンピュータプログラム製品に関する。
【０００５】
移動通信ネットワークを使用する、携帯電話、スマートフォン又はタブレットデバイスなどのようなユーザ機器は、通常、充電式電池又はアキュムレーターを用いて給電される。これは、利用可能な電力を可能な限り保存する態様でそのデバイスが動作すべきであることを意味する。
【０００６】
これは、例えば、マシンツーマシン通信での使用のため、又は（例えば、狭帯域のモノのインターネット（ＮＢ−ＩｏＴ）デバイス又はＬＴＥ  Ｃａｔ−Ｍ若しくはＥＣ−ＧＳＭカテゴリのデバイスのような）モノのインターネット通信のために特に設計されたユーザ機器といったマシンタイプ通信デバイスなどのような利用可能な電力を保存することに特に依存するデバイス群について特に当てはまる。このようなデバイスは、数か月から数年のように長期間にわたってその電源を再充電又は交換することなく動作可能であることを要件とすることが多い。
【発明の概要】
【０００７】
本発明は、時間間隔が経過し、かつユーザ機器によって使用される移動通信ネットワーク及び／又は無線アクセス技術に関する優先度が充分に低い優先度を示す場合、ユーザ機器が利用可能な電力が可能な限り長く保存されるように、より高い優先度の移動通信ネットワークを見つけるネットワーク選択手順を一般に実行するユーザ機器の強化された電力消費管理のための方法を提供し、したがってユーザ機器はより長い時間にわたって動作可能となる。
【０００８】
本発明の目的は、移動通信ネットワーク及び無線アクセス技術を用いるユーザ機器の強化された電力消費管理のための方法によって達成され、ユーザ機器は移動通信ネットワーク及び／又は無線アクセス技術に関する優先度情報を提供され、ユーザ機器によって使用される移動通信ネットワーク、及び／又はユーザ機器によって使用される無線アクセス技術に関する優先度情報が、ユーザ機器によって使用される移動通信ネットワーク及び／又はユーザ機器によって使用される無線アクセス技術について充分に低い優先度を示す場合、時間間隔経過後に、より高い優先度の移動通信ネットワークを見つけるネットワーク選択手順がユーザ機器によって実行され、
ユーザ機器は加入者識別モジュールの機能を実現するエンティティを備え、加入者識別モジュールの機能を実現するエンティティは、より高い優先度の移動通信ネットワークへのネットワーク選択手順を実行するのにユーザ機器によって適用される時間間隔が加入者識別モジュールの機能を実現するエンティティにおいて記憶される時間間隔関連情報に依存するように、時間間隔関連情報を備え、時間間隔関連情報の情報内容は所定数の正の整数値に対応し、ユーザ機器によって適用される時間間隔関連情報の情報内容との時間間隔の依存関係は以下の選択肢：
−第１の選択肢によると、時間間隔は時間間隔関連情報の情報内容に対応し、６分のスケーリング定数値と時間間隔適応因子との積によって乗算され、時間間隔適応因子又は時間間隔適応因子の逆数は３以上の値、特に５若しくはその付近の値、１０若しくはその付近の値、２０若しくはその付近の値、５０若しくはその付近の値、１００若しくはその付近の値、５００若しくはその付近の値、又は１０００若しくはその付近の値に対応する、
−第２の選択肢によると、時間間隔は時間間隔関連情報の情報内容に対応し、６分とは異なるスケーリング定数値によって乗算され、スケーリング定数値は少なくとも１０分、好適には少なくとも２０分、より好適には少なくとも３０分、さらにより好適には少なくとも６０分、さらにより好適には少なくとも１００分、さらにより好適には１２０分又は少なくとも１２０分、さらにより好適には少なくとも１８０分、さらにより好適には少なくとも２４０分、さらにより好適には少なくとも３００分、さらにより好適には少なくとも３６０分、さらにより好適には少なくとも４２０分、さらにより好適には少なくとも４８０分、さらにより好適には少なくとも５４０分、さらにより好適には少なくとも６００分、さらにより好適には少なくとも１０００分に対応する、
−第３の選択肢によると、時間間隔は時間間隔関連情報の情報内容に対応し、増加スケーリング値が時間間隔関連情報の情報内容の関数として増加するような増加スケーリング値によって乗算される、
−第４の選択肢によると、時間間隔は、時間間隔関連情報の情報内容のマッピングの結果に対応し、マッピングを定義するマッピング情報はユーザ機器内のメモリ部に記憶される、
のうちの１つに対応する。
【０００９】
本発明によると、移動通信ネットワーク及び／又は無線アクセス技術に関して（通常はユーザ機器のホーム移動通信ネットワーク（又はホーム公衆陸上移動ネットワーク）のネットワーク操作者によって）ユーザ機器が提供される優先度情報に基づいて、ユーザ機器によって使用される移動通信ネットワーク及び／又は無線アクセス技術が、充分に低い優先度を有する移動通信ネットワーク、又は無線アクセス技術、又は移動通信ネットワーク及び無線アクセス技術の組合せに対応する場合、ユーザ機器は、より低い頻度でネットワーク選択手順を実行し、したがって節電することが有利に可能となる。
【００１０】
通常、ネットワーク選択手順は、ネットワーク（及び／又は無線アクセス技術）について充分に低い優先度がユーザ機器によって確立され、かつ時間間隔が経過した場合トリガされる。時間間隔は、ユーザ機器の加入者識別モジュールの機能を実現するエンティティに記憶される時間間隔関連情報によって決定される。時間間隔関連情報の情報内容は、所定数の正の整数値に対応する。通常、特に加入者識別モジュールの機能を実現するエンティティが加入者識別カード（すなわち、ＳＩＭカード）に対応する場合、時間間隔関連情報は１、２、３、…、８０の値をとり得る整数に対応し、すなわち、時間間隔関連情報の情報内容は１、２、３、…、８０に対応する。さらに、時間間隔関連情報は、時間間隔が存在しないを示す、そうでなければ、時間間隔が無限の継続時間であることが記載される（したがって、この値をとる時間間隔関連情報は、個々のユーザ機器によって発動されることがないネットワーク選択手順に対応する）情報内容をとることも通常可能である。しかしながら、最後に記載のこの可能性は、本発明とはあまり関係がない。
【００１１】
本発明による様々な選択肢によると、時間間隔関連情報の情報内容との（ネットワーク選択手順をトリガするのに適用される）時間間隔の依存関係は、以下の通りである。
【００１２】
第１の選択肢によると、時間間隔は時間間隔関連情報の情報内容に対応し、６分のスケーリング定数値（通常、ユーザ機器のメモリ部に記憶される）と時間間隔適応因子（通常、同様にユーザ機器のメモリ部に記憶される）の積によって乗算され、時間間隔適応因子又は時間間隔適応因子の逆数は３以上の値に対応する。これは、ここで行われる時間間隔の調整方法は未着手のままにすることが可能であるが、それにもかかわらず時間間隔として延長された期間が選択され得ることを意味し、通常マシンツーマシン通信又はマシンタイプ通信に関連する特定カテゴリのユーザ機器の場合、このことは特に有利である。さらに、時間間隔適応因子が１未満の値も有し得ることによって、時間間隔の継続時間を短縮することも可能である。本発明によると、時間間隔適応因子又はその逆数に原則として３以上の全ての値、特に５若しくはその付近の値、又は１０若しくはその付近の値、又は２０若しくはその付近の値、又は５０若しくはその付近の値、又は１００若しくはその付近の値、又は５００若しくはその付近の値、又は１０００若しくはその付近の値が可能である。
【００１３】
第２の選択肢によると、時間間隔は時間間隔関連情報の情報内容に対応し、６分とは異なるスケーリング定数値によって乗算される。好適には、スケーリング定数値は、少なくとも１０分、好適には少なくとも２０分、より好適には少なくとも３０分、さらにより好適には少なくとも６０分、さらにより好適には少なくとも１００分、さらにより好適には１２０分又は少なくとも１２０分、さらにより好適には少なくとも１８０分、さらにより好適には少なくとも２４０分、さらにより好適には少なくとも３００分、さらにより好適には少なくとも３６０分、さらにより好適には少なくとも４２０分、さらにより好適には少なくとも４８０分、さらにより好適には少なくとも５４０分、さらにより好適には少なくとも６００分、さらにより好適には少なくとも１０００分に対応する。
【００１４】
第２の選択肢による他の実施例によると、スケーリング値は、時間間隔関連情報の情報内容（の値）の前半に対して好適には（又は近似的に）１２０分に対応し、時間間隔関連情報の情報内容（の値）の後半に対して好適には（又は近似的に）２４０分に対応する（例えば、スケーリング値は（約）１０進法の値で「２」から「４０」の時間間隔関連情報の情報内容の値に対して１２０分に対応し、スケーリング値は（約）「４１」から「８０」の時間間隔関連情報の情報内容の１０進法の値に対して２４０分に対応する）。
【００１５】
第３の選択肢によると、時間間隔は、時間間隔関連情報の情報内容に対応し、増加スケーリング値が時間間隔関連情報の情報内容の関数として増加するような、増加スケーリング値によって乗算され、すなわち、実施例によると、（１）情報内容を示す時間間隔関連情報及び（２）時間間隔の以下の値の組が適用され得る：
１        １分
２        ２分
３        ３分
４        ５分
５        ８分
６      １３分
７      ２１分
８      ３４分
９      ５５分
１０      ８９分
１１    １４４分
１２    ２２３分
１３    ３６７分
１４    ５９０分
第３の選択肢による他の実施例によると、スケーリング値は、時間間隔関連情報の情報内容（の値）の後半に対して好適には（又は近似的に）、それが時間間隔関連情報の情報内容（の値）の好適には（又は近似的に）前半のスケーリング値の２倍となり、かつ時間間隔関連情報の情報内容（の値）の（約）前半に対してスケーリング値が好適には（又は近似的に）１２０分となるように増加する。
【００１６】
第４の選択肢によると、時間間隔は時間間隔関連情報の情報内容のマッピングの結果に対応し、マッピングを定義するマッピング情報はユーザ機器内のメモリ部に記憶される。
【００１７】
現在の標準的なアプローチによると、時間間隔関連情報がとることができる様々な整数値は（時間間隔が存在しない、すなわち、時間間隔が無限の継続時間であることを示す値のほかに）多数存在し、これらの値の各々はｎ＊６分の時間間隔の継続時間に対応し、ｎが時間間隔関連情報の値（又は情報内容）であり、６分の時間間隔の最小継続時間及び（時間間隔関連情報について例えば８０個の異なる整数値を有する場合）８０＊６分＝４８０分の最大継続時間を結果として生じる。この６分から４８０分の間の時間間隔についての可能な継続時間の範囲は、多数のユースケース、特にマシンタイプ通信及び／又はマシンツーマシン通信に関するユーザ機器に関して不適当である。本発明による全ての選択肢は、可能なネットワーク選択手順についてユーザ機器が適用している結果的な時間間隔に関して、有利なことに、より高い自由度を達成できることで共通している。
【００１８】
本発明の好適な実施形態によると、間隔適応因子、及び／若しくはスケーリング定数値、又は増加スケーリング値、又はマッピング情報は、ユーザ機器内のメモリ部に記憶され、特に異なる間隔適応因子、及び／又は異なるスケーリング定数値、及び／又は異なる増加スケーリング値、及び／又は異なる増加スケーリング値、及び／又は異なるマッピング情報がユーザ機器の異なるデバイスカテゴリに対して適用され、特に、マシンツーマシン通信、又は（狭帯域のモノのインターネット（ＮＢ‐ＩｏＴ）、又はＬＴＥ  Ｃａｔ−Ｍ、若しくはＥＣ−ＧＳＭカテゴリのような）モノのインターネット通信のために最適化されたユーザ機器は、間隔適応因子、及び／又はスケーリング定数値、及び／又は増加スケーリング値、及び／又はマッピング情報を、結果として生じる時間間隔が他のカテゴリのユーザ機器を用いて適用される時間間隔を大幅に超えるように適用する。
【００１９】
これにより、ユーザ機器の特定のデバイスカテゴリ、特に増加した時間間隔を必要とするユーザ機器のデバイスカテゴリにさらに適合した時間間隔の継続時間に関して向上した自由度及びアプローチを実行することが可能となる。
【００２０】
さらに好適な本発明の実施形態によると、増加スケーリング値は、少なくとも近似的に指数関数的に増加する。
【００２１】
これにより、可能な時間間隔の継続時間に関し、増加した範囲を実現できることが有利に可能となる。
【００２２】
さらに、本発明によると、ユーザ機器は電源を備え、又は電源に関連づけられ、又は電源に割り当てられ、電力状態情報はユーザ機器に利用可能な電力の様々なレベルを示し（又は電力状態情報は、ユーザ機器に利用可能な電力に関する表示を提供する）、電力状態情報が電源について充分に低い電力レベルを示す場合、
−ユーザ機器によって適用される有効時間間隔は、以下：時間間隔適応因子、時間間隔適応因子及びスケーリング定数値、スケーリング定数値、増加スケーリング値並びにマッピング情報のうちの１つを増加させることによって増加し、又は
−ネットワーク選択手順は、時間間隔経過後であってもユーザ機器によって省略されることが好ましい。
【００２３】
これにより、比較的低い利用可能な残存電力の状況において、ネットワーク選択を最適化するために、追加的なネットワーク選択手順の実行を目的とする利用可能な電力の消費ではなく、より長い有効動作の継続時間がユーザ機器に対して可能となるように、特に利用可能な電力の使用などを行うユーザ機器を構成することが有利に可能となる。有利なことに、電力状態情報が充分に低い電源電力レベルを示す状況は、次第に電力状態情報が充分に低い電力レベルを示すように、電源内の利用可能な残存電力に関する所定の閾値に達しない（すなわち、電源内の利用可能な電力が所定の閾値より低下した）ことを通常は意味する。本発明の更なる好適な実施形態によると、このような所定の閾値は１つではなく２つ（又はそれ以上）存在し、そのような１つの閾値（以降、第１電力閾値という）は電源内の高い方の利用可能な残存電力、例えば全容量の４０％に対応し、そして、その１つの閾値（以降、第２電力閾値という）は電源内のさらに低い方の利用可能な残存電力、例えば全容量の２０％に対応する。電源内の利用可能な残存電力が第１の電力閾値を下回る場合、このことは電力状態情報を用いて示され、有効時間間隔の増加を結果として生じ（ユーザ機器によって適用される第１の変更済時間間隔となり、第１の変更済時間間隔は以前に適用された有効時間間隔より大きい）、電源内の利用可能な残存電力が第２の電力閾値を下回る場合、同様にこのことが電力状態情報を用いて示され、より一層の有効時間間隔の増加を結果として生じる（ユーザ機器によって適用される第２の変更済時間間隔となり、第２の変更済時間間隔は第１の変更済時間間隔より大きい）。
【００２４】
本発明のさらに好適な実施形態によると、特殊な地理的領域に位置することを検出されるユーザ機器に基づいて、及び／又は特殊な移動通信ネットワークのリストの一部である移動通信ネットワークを使用するユーザ機器に基づいて、
−ユーザ機器によって適用される有効時間間隔は、以下：時間間隔適応因子、時間間隔適応因子及びスケーリング定数値、スケーリング定数値、増加スケーリング値並びにマッピング情報のうちの１つを増加させることによって増加する、又は
−ネットワーク選択手順は、時間間隔経過後であってもユーザ機器によって省略される。
【００２５】
これにより、本発明によれば、ユーザ機器によって適用される有効時間間隔は、ユーザ機器が位置する地理的領域に応じて、及び／又は１以上の特殊な移動通信ネットワークを使用するユーザ機器に応じても適応され得ることが有利に可能となる。本発明の更なる実施形態によると、少なくとも第１の地理的領域及び第２の地理的領域が定義され、並びに／又は少なくとも特殊な移動通信ネットワークの第１のリスト及び他の特殊な移動通信ネットワークの第２のリストが定義される。ユーザ機器が第１の地理的領域内に位置すると検出される場合、及び／又はユーザ機器が特殊な移動通信ネットワークの第１のリストの一部である移動通信ネットワークを使用する場合、有効時間間隔の変更（ユーザ機器によって適用される第３の変更済時間間隔への変更、ここで第３の変更済時間間隔は、（必ずしもではないが）一般的に、以前、すなわち、ユーザ機器が第１の地理的領域に入る前に適用された有効時間間隔とは異なる）、ユーザ機器が第２の地理的領域内に位置すると検出される場合、及び／又はユーザ機器が特殊な移動通信ネットワークの第２のリストの一部である移動通信ネットワークを使用する場合、有効時間間隔の変更（ユーザ機器によって適用される第４の変更済時間間隔への変更、ここで第４の変更済時間間隔は、（必ずしもではないが）一般的に、以前、すなわち、ユーザ機器が第２の地理的領域に入る前に適用された有効時間間隔とは異なる）。
【００２６】
本発明の他の好適な実施形態によると、時間間隔適応因子、及び／又はスケーリング定数値、及び／又は増加スケーリング値を定義する情報、及び／又はマッピング定義情報、及び／又は特殊な地理的領域を示す情報、及び／又は特殊な移動通信ネットワークのリストは、特にユーザ機器内のメモリ部に記憶され、又は加入者識別モジュールの機能を実現するエンティティに記憶されるように、及び特に移動通信ネットワークを使用してユーザ機器に送信される。
【００２７】
これにより、本発明によれば、ユーザ機器の適応的な動作が実行されることが比較的容易となることが有利に可能となる。さらに、本発明によれば、そのような情報（すなわち、時間間隔適応因子、及び／又はスケーリング定数値、及び／又は増加スケーリング値を定義する情報、及び／又はマッピング定義情報、及び／又は特殊な地理的領域を示す情報、及び／又は特殊な移動通信ネットワークのリスト）の少なくとも一部は、無線のメカニズム上を介してユーザ機器に送信されることが有利に可能となる。
【００２８】
本発明はまた、移動通信ネットワーク及び無線アクセス技術を用いるユーザ機器の強化された電力消費管理のためのユーザ機器に関し、ユーザ機器は移動通信ネットワーク及び／又は無線アクセス技術に関する優先度情報を提供され、ユーザ機器は、ユーザ機器によって使用される移動通信ネットワーク及び／又はユーザ機器によって使用される無線アクセス技術に関する優先度情報が、ユーザ機器によって使用される移動通信ネットワーク及び／又はユーザ機器によって使用される無線アクセス技術について充分に低い優先度を示す場合、時間間隔経過後に、より高い優先度の移動通信ネットワークを見つけるネットワーク選択手順がユーザ機器によって実行されるように構成され、
ユーザ機器は加入者識別モジュールの機能を実現するエンティティを備え、加入者識別モジュールの機能を実現するエンティティは、より高い優先度の移動通信ネットワークへのネットワーク選択手順を実行するのにユーザ機器によって適用される時間間隔が加入者識別モジュールの機能を実現するエンティティにおいて記憶される時間間隔関連情報に依存するように、時間間隔関連情報を備え、時間間隔関連情報の情報内容は所定数の正の整数値に対応し、ユーザ機器は、ユーザ機器によって適用される時間間隔関連情報の情報内容との時間間隔の依存関係が以下の選択肢：
−第１の選択肢によると、時間間隔は時間間隔関連情報の情報内容に対応し、６分のスケーリング定数値と時間間隔適応因子との積によって乗算され、時間間隔適応因子又は時間間隔適応因子の逆数は３以上の値、特に５若しくはその付近の値、又は１０若しくはその付近の値、又は２０若しくはその付近の値、又は５０若しくはその付近の値、又は１００若しくはその付近の値、又は５００若しくはその付近の値、又は１０００若しくはその付近の値に対応する、
−第２の選択肢によると、時間間隔は時間間隔関連情報の情報内容に対応し、６分とは異なるスケーリング定数値によって乗算され、スケーリング定数値は少なくとも１０分、好適には少なくとも２０分、より好適には少なくとも３０分、さらにより好適には少なくとも６０分、さらにより好適には少なくとも１００分、さらにより好適には少なくとも１２０分、さらにより好適には少なくとも１８０分、さらにより好適には少なくとも２４０分、さらにより好適には少なくとも３００分、さらにより好適には少なくとも３６０分、さらにより好適には少なくとも４２０分、さらにより好適には少なくとも４８０分、さらにより好適には少なくとも５４０分、さらにより好適には少なくとも６００分、さらにより好適には少なくとも１０００分に対応する、
−第３の選択肢によると、時間間隔は時間間隔関連情報の情報内容に対応し、増加スケーリング値が時間間隔関連情報の情報内容の関数として増加するような増加スケーリング値によって乗算される、
−第４の選択肢によると、時間間隔は時間間隔関連情報の情報内容のマッピングの結果に対応し、マッピングを定義するマッピング情報はユーザ機器内のメモリ部に記憶される、
のうちの１つに対応するように構成される。
【００２９】
これにより、ユーザ機器によって使用される移動通信ネットワーク及び／又は無線アクセス技術が、充分に低い優先度を有する移動通信ネットワーク又は無線アクセス技術、又は移動通信ネットワーク及び無線アクセス技術の組合せに対応する場合、ユーザ機器がネットワーク選択手順を実行する頻度が減少し、したがって節電することができることがユーザ機器に関しても有利に可能となる。
【００３０】
さらに、本発明は、移動通信ネットワーク及び無線アクセス技術を用いるユーザ機器の強化された電力消費管理のためのシステムに関し、システムは、移動通信ネットワーク及びユーザ機器を備え、ユーザ機器は移動通信ネットワーク及び／又は無線アクセス技術に関する優先度情報を提供され、ユーザ機器は、ユーザ機器によって使用される移動通信ネットワーク及び／又はユーザ機器によって使用される無線アクセス技術に関する優先度情報が、ユーザ機器によって使用される移動通信ネットワーク及び／又はユーザ機器によって使用される無線アクセス技術について充分に低い優先度を示す場合、時間間隔経過後に、より高い優先度の移動通信ネットワークを見つけるネットワーク選択手順がユーザ機器によって実行されるよう構成され、
ユーザ機器は加入者識別モジュールの機能を実現するエンティティを備え、加入者識別モジュールの機能を実現するエンティティは、より高い優先度の移動通信ネットワークへのネットワーク選択手順を実行するのにユーザ機器によって適用される時間間隔が加入者識別モジュールの機能を実現するエンティティにおいて記憶される時間間隔関連情報に依存するように、時間間隔関連情報を備え、時間間隔関連情報の情報内容は所定数の正の整数値に対応し、ユーザ機器は、ユーザ機器によって適用される時間間隔関連情報の情報内容との時間間隔の依存関係が以下の選択肢：
−第１の選択肢によると、時間間隔は時間間隔関連情報の情報内容に対応し、６分のスケーリング定数値と時間間隔適応因子との積によって乗算され、時間間隔適応因子又は時間間隔適応因子の逆数は３以上の値、特に５若しくはその付近の値、又は１０若しくはその付近の値、又は２０若しくはその付近の値、又は５０若しくはその付近の値、又は１００若しくはその付近の値、又は５００若しくはその付近の値、又は１０００若しくはその付近の値に対応する、
−第２の選択肢によると、時間間隔は時間間隔関連情報の情報内容に対応し、６分とは異なるスケーリング定数値によって乗算され、スケーリング定数値は少なくとも１０分、好適には少なくとも２０分、より好適には少なくとも３０分、さらにより好適には少なくとも６０分、さらにより好適には少なくとも１００分、さらにより好適には１２０分又は少なくとも１２０分、さらにより好適には少なくとも１８０分、さらにより好適には少なくとも２４０分、さらにより好適には少なくとも３００分、さらにより好適には少なくとも３６０分、さらにより好適には少なくとも４２０分、さらにより好適には少なくとも４８０分、さらにより好適には少なくとも５４０分、さらにより好適には少なくとも６００分、さらにより好適には少なくとも１０００分に対応する、
−第３の選択肢によると、時間間隔は時間間隔関連情報の情報内容に対応し、増加スケーリング値が時間間隔関連情報の情報内容の関数として増加するような増加スケーリング値によって乗算される、
−第４の選択肢によると、時間間隔は、時間間隔関連情報の情報内容のマッピングの結果に対応し、マッピングを定義するマッピング情報はユーザ機器内のメモリ部に記憶される、
のうちの１つに対応するよう構成される。
【００３１】
これにより、ユーザ機器によって使用される移動通信ネットワーク及び／又は無線アクセス技術が、充分に低い優先度を有する移動通信ネットワーク、又は無線アクセス技術、又は移動通信ネットワーク及び無線アクセス技術の組合せに対応する場合、ユーザ機器がネットワーク選択手順を実行する頻度が減少し、したがって節電することができることが、システムに関しても有利に可能となる。
【００３２】
さらに、本発明は、コンピュータ上又はユーザ機器上で実行されると、コンピュータ又はユーザ機器に本発明の方法を実行させるコンピュータ可読プログラムコードを備えるプログラムに関する。
【００３３】
本発明はまた、移動通信ネットワーク及び無線アクセス技術を用いるユーザ機器の強化された電力消費管理のためのコンピュータプログラム製品に関し、コンピュータプログラム製品は記憶媒体に記憶されたコンピュータプログラムを備え、コンピュータプログラムは、コンピュータ上又はユーザ機器上で実行されると、コンピュータ又はユーザ機器に本発明を実行させるプログラムコードを備える。
【００３４】
本発明のこれら及び他の特徴、構成及び効果は、発明の原理を実施例として示す添付の図面と併せて後述の詳細な説明から明らかとなる。説明は、例示のみを目的とし、発明の範囲を限定するものではない。以下に引用される符号は、添付の図面を参照する。
【図面の簡単な説明】
【００３５】
【図１】複数の基地局エンティティによってサービングされる複数の無線セル、及び移動通信ネットワークによってサービングされる複数のユーザ機器を備える移動通信ネットワークを概略的に示す。
【図２】本発明によるユーザ機器を概略的に示す。
【発明を実施するための形態】
【００３６】
本発明は特定の実施形態に関して特定の図面を参照して説明されるが、発明はそれらに限定されるものではなく、特許請求の範囲によってのみ限定される。記載される図面は概略のみであり、限定するものではない。図面において、いくつかの要素の大きさは、説明のために誇張され、縮尺通りに表現されていないこともある。
【００３７】
単数名詞を参照するとき、例えば「ａ」、「ａｎ」、「ｔｈｅ」の不定冠詞又は定冠詞を用いるが、特に断りがない限りその名詞の複数形も含む。
【００３８】
さらに、詳細な説明及び特許請求の範囲における第１、第２、第３などの用語は、同様な要素間で区別するために使用され、必ずしも連続的に又は経時的な順番で説明するためのものではない。使用される用語は適切な状況で交換可能であり、ここで説明される発明の実施形態はここで説明又は図示されるものとは別のシーケンスで動作可能であることを理解すべきである。
【００３９】
図１において、移動通信ネットワーク１００を概略的に示す。実施例において、移動通信ネットワーク１００は、アクセスネットワーク１１０及びコアネットワーク１２０を備える。好適には、移動通信ネットワーク１００は通常複数のネットワークセルを備えるセルラー電気通信ネットワークであり、図１において、移動通信ネットワーク１００の２つの無線セルが参照符号１１及び１２：第１の無線セル１１及び第２の無線セル１２を用いて示される。アクセスネットワーク１１０は、第１の無線セル１１をサービングする第１の基地局エンティティ１１１及び第２の無線セル１２をサービングする第２の基地局エンティティ１１２を少なくとも備える。複数のユーザ機器２０、２０’、２０”が、電気通信ネットワーク１００に接続するユーザ機器の例として、図１に概略的に示される。ユーザ機器は、第１のユーザ機器２０、第２のユーザ機器２０’及び第３のユーザ機器２０”を備える。ユーザ機器２０、２０’、２０”は、移動通信ネットワーク１００のコアネットワークの少なくとも１つのネットワークノード１２１に接続される。
【００４０】
本発明によると、移動通信ネットワーク１００及び無線アクセス技術を用いるユーザ機器２０の強化された電力消費管理のための方法、ユーザ機器２０及びシステムが提案される。
【００４１】
提案される方法、ユーザ機器及びシステムによると、ユーザ機器２０は、移動通信ネットワーク１００、及び移動通信ネットワーク１００にアクセスする無線アクセス技術を用いる。通常、各ユーザ機器２０は、ホーム移動通信ネットワーク又はホーム公衆陸上移動ネットワークＨＰＬＭＮに関連づけられる。一般的にユーザ機器は、訪問先移動通信ネットワーク（又は訪問先公衆陸上移動ネットワークＶＰＭＬＮ）という（ホーム移動通信ネットワーク以外の）他の移動通信ネットワークにも接続可能である。しかしながら、ユーザ機器は、通常、任意の移動通信ネットワークを利用せず、（自身のホーム移動通信ネットワークが入手可能な場合、若しくは利用可能となった場合）自身のホーム移動通信ネットワークに、又は少なくとも１以上の好適な、若しくは優先度付けされた移動通信ネットワークのいずれかに切り替えるよう促進される。これは、例えば３ＧＰＰの標準化文書ＥＴＳＩ  ＴＳ１２３．１２２のＶ９．３．０（２０１０年６月）の４．４．３．３章の箇所において明記されている。したがって、（（第１の）ユーザ機器２０のような）ユーザ機器は、これらのユーザ機器が使用又は接続しそうな全て又は少なくとも複数の移動通信ネットワークに関する優先度情報を提供される。ユーザ機器２０が拠点としている（又は使用している）移動通信ネットワークに関連する優先度情報が充分に低い場合（すなわち、一般的には、この優先度情報が、予め定義された閾値又は優先度の閾値より低いという条件に合致する場合）、ユーザ機器２０は、関連づけられた優先度の情報がより大きい値を有する他の移動通信ネットワークを探すためにネットワーク選択手順を主に実行するよう促進される。しかしながら、ネットワーク選択手順は、通常いつでも実行されるわけではなく、時間間隔経過後という（ネットワーク選択手順がトリガされるための）追加的条件が満たされる場合に実行される。
【００４２】
したがって、本発明の内容において、このことは、ユーザ機器２０が移動通信ネットワーク１００を使用し、移動通信ネットワーク１００はユーザ機器２０のホーム移動通信ネットワークに対応していないことを意味し、更なる仮定は（ユーザ機器２０内の）移動通信ネットワーク１００に関連づけられる（又は、移動通信ネットワーク１００に関する）優先度情報は、時間間隔経過した場合に、より高い優先度の移動通信ネットワークを見つけるためにネットワーク選択手段をトリガするのに充分に低いというものである。
【００４３】
図２において、本発明によるユーザ機器２０を概略的に示す。ユーザ機器２０は、加入者識別モジュールの機能を実現するエンティティ２２、及び電源２４を備える。多くの場合、加入者識別モジュールの機能を実現するエンティティ２２は、（着脱可能な、及び／若しくはハードウェアの）加入者識別モジュール（又はいわゆる加入者識別モジュールカード、ＳＩＭカード）であってもよい。一方、加入者識別モジュールの機能を実現するエンティティ２２は、着脱可能でないモジュールであってもよい。
【００４４】
加入者識別モジュールの機能を実現するエンティティ２２は、より高い優先度の移動通信ネットワークについてのネットワーク選択手順を実行するのにユーザ機器２０によって適用される時間間隔が加入者識別モジュールの機能を実現するエンティティ２２において記憶される時間間隔関連情報に依存するように、時間間隔関連情報を（例えば、ＳＩＭカードの基本フィールド内に）備える。通常、時間間隔関連情報の情報内容は所定数の正の整数値に対応し（例えば、８０個の整数値）、ユーザ機器２０によって適用される時間間隔関連情報の情報内容との時間間隔の依存関係は以下の４つの選択肢：
−第１の選択肢によると、時間間隔は時間間隔関連情報の情報内容に対応し、６分のスケーリング定数値と時間間隔適応因子との積によって乗算され、時間間隔適応因子又は時間間隔適応因子の逆数は３以上の値に対応する、
−第２の選択肢によると、時間間隔は時間間隔関連情報の情報内容に対応し、スケーリング定数値によって乗算され、スケーリング定数値は少なくとも１０分に対応する、
−第３の選択肢によると、時間間隔は時間間隔関連情報の情報内容に対応し、増加スケーリング値が時間間隔関連情報の情報内容の関数として増加するような増加スケーリング値によって乗算される、
−第４の選択肢によると、時間間隔は時間間隔関連情報の情報内容のマッピングの結果に対応し、マッピングを定義するマッピング情報はユーザ機器２０内のメモリ部に記憶される、
のうちの１つに対応する。
【００４５】
本発明によると、ユーザ機器２０の電源２４内の利用可能な残存電力に応じて時間間隔が、変更、特に増加されることが好ましい。追加的に又は代替的に、特殊な地理的領域に位置することを検出されるユーザ機器に応じて、及び／又は特殊な移動通信ネットワークのリストの一部である移動通信ネットワークを使用するユーザ機器２０に応じて、時間間隔が変更されることが好ましい。
【図１】
2019506093.tif 000003
【図２】
2019506093.tif 000004
【手続補正書】
【提出日】平成30年8月29日(2018.8.29)
【手続補正１】
【補正対象書類名】特許請求の範囲
【補正対象項目名】請求項１０
【補正方法】変更
【補正の内容】
【請求項１０】
移動通信ネットワーク（１００）及び無線アクセス技術を用いるユーザ機器（２０）の強化された電力消費管理のためのコンピュータプログラムを格納した記憶媒体であって、前記コンピュータプログラムは、コンピュータ上又はユーザ機器（２０）上で実行されると、前記コンピュータ又は前記ユーザ機器（２０）に請求項１乃至６のいずれか一項に記載の方法を実行させるプログラムコードを備える、記憶媒体。
【国際調査報告】
2019506093.tif 000005
2019506093.tif 000006